(57)【要約】【課題】シール式壁体表面の支持パーツを提供する。【解決手段】主にベース、粘着パーツ、支持パーツを含み、該支持パーツと該ベースは相互に連接する。該粘着パーツは良好な空気密封性を具え平滑な壁体と密着するシールで、該粘着パーツは相互に該ベースと粘着接続する。該粘着パーツの表面は該ベースのエッジを超え外部へと延伸し、該ベースの側面と該粘着パーツ表面の境界位置は該ベースのエッジが該粘着パーツ外周方向へと延伸する過渡面である。該支持パーツは該過渡面によりシールと壁面間の空気を、一切の気泡を残さないまでに、非常に容易に、かつ徹底的に排除することができる。また金属層は該ベースと該シールへの空気の浸透を防止し、空気が該シールと壁体間に進入しないようにし、長時間の設置後も空気が進入し脱落する恐れはない。【選択図】図１
2007530247.tif 000002
【特許請求の範囲】
【請求項１】
主にベース、粘着パーツ、支持パーツを含み、該支持パーツと該ベースは相互に連接し、該粘着パーツは良好な空気密封性を具え平滑な壁体と密着するシールで、該粘着パーツは相互に該ベースと粘着接続し、その表面は該ベースのエッジを超え外部へと延伸し、該ベースの側面と該粘着パーツ表面の境界位置は該ベースのエッジが該粘着パーツ外周方向へと延伸する過渡面であることを特徴とするシール式壁体表面の支持パーツ。
【請求項２】
請求項１記載のシール式壁体表面の支持パーツにおいて、前記過渡面は該ベース表面と該粘着パーツ表面に連接する斜面或いは弧状面で、上部から指で間隙なく滑り降りて来ることができ、すなわち指で該ベースエッジから該シール外周へと移動し空気を押し出して行く過程において、該シールと壁体間の空気は該ベースエッジから該シールエッジまで内から外へと連続して押し出され、該シールエッジの外に排出されることを特徴とするシール式壁体表面の支持パーツ。
【請求項３】
請求項１記載のシール式壁体表面の支持パーツにおいて、前記ベースないには空気分子の浸透を阻止する金属層を設置することを特徴とするシール式壁体表面の支持パーツ。
【請求項４】
請求項３記載のシール式壁体表面の支持パーツにおいて、前記金属層は内側金属層と外側金属層を含み、２枚の金属層は相互に隔離され、或いは薄弱な連結構造を設置することを特徴とするシール式壁体表面の支持パーツ。
【請求項５】
請求項４記載のシール式壁体表面の支持パーツにおいて、前記金属層は弾性を具えた金属片で、該内側金属層は外側へと突出する弧状面を呈することを特徴とするシール式壁体表面の支持パーツ。
【請求項６】
請求項１記載のシール式壁体表面の支持パーツにおいて、前記支持パーツはさらにフック、挿入孔槽、挿入孔台を含み、該フック上には外付け装置と係合する係合定位構造を設置し、該係合定位構造は該フック外側の鋭利な突出物に設置することを特徴とするシール式壁体表面の支持パーツ。
【請求項７】
請求項１記載のシール式壁体表面の支持パーツにおいて、前記ベース或いは該ベースが具えるシール表面には空気の浸透を防止する一層の空気隔離層を噴霧することができ、該空気隔離層の噴霧液は金属噴霧液或いは液体ガラスであることを特徴とするシール式壁体表面の支持パーツ。
【請求項８】
請求項１記載のシール式壁体表面の支持パーツにおいて、前記ベース上部には他の物件との連接に用いるネジ山構造を形成することを特徴とするシール式壁体表面の支持パーツ。
【請求項９】
請求項１記載のシール式壁体表面の支持パーツにおいて、前記支持パーツはさらに摩擦力板を設置可能で、該摩擦力板は壁体表面において圧迫可能で、かつ上方へと向かう静摩擦力を生じ、重量物が垂直方向において生じる重力を相殺可能で、該摩擦力板は直接該支持パーツ上に係合し、或いは該ベースと相互に連接し、或いはネジにより該ベース内の金属層上に形成するネジ孔に螺合することを特徴とするシール式壁体表面の支持パーツ。
【請求項１０】
請求項１記載のシール式壁体表面の支持パーツにおいて、前記ベース内に設置する金属層は該ベース底面と平行であることを特徴とするシール式壁体表面の支持パーツ。
【請求項１１】
請求項１０記載のシール式壁体表面の支持パーツにおいて、前記ベース底面の中央は自由状態時には浅く陥没することを特徴とするシール式壁体表面の支持パーツ。
【請求項１２】
請求項３、請求項８、或いは請求項９記載のシール式壁体表面の支持パーツにおいて、前記ベース中に設置する金属層の局部は該ベース外に延伸し、フック状或いは他の支持パーツ形状を形成可能であることを特徴とするシール式壁体表面の支持パーツ。
【発明の詳細な説明】
【技術分野】
【０００１】
本発明は一種のシール式壁体表面の支持パーツに関する。特に一種の家庭用のシール式壁体表面の支持パーツに係る。
【背景技術】
【０００２】
日常生活において、壁体表面の支持パーツは帽子掛け、石鹸トレイ、浴室のバスタオル掛けなどに用いられるが、特許文献１のシール式の壁面支持パーツはベース、シール、支持パーツを含む。該支持パーツは適当なフレーム状を呈し、該ベースと相互に連接する。該シールは良好な空気密封性を具え、壁と密着可能である。該シールは該ベースと相互に連接し、該シールの表面は該ベースのエッジにはみ出し外部へと延伸し、該シールと壁の相互固定により、該シールと該壁の接触面積は該ベースの背面面積より大きくなり、しかもシールは壁面において良好な空気密封効果を具える。そのため、該シール式壁体表面の支持パーツは壁面において堅固で、長期間固定され、非常に便利である。使用時には、該シール式壁体表面の支持パーツを壁面にしっかりと固定するため、粘着時にはシールを貼る位置の空気を完全に押し出し、できる限りシールと壁表面との間に空気が入らないようにしなければならない。但し、公知のシール式壁体表面の支持パーツはベースとシールとの境界位置、ベース側面とシール表面はほぼ直角を呈し交わるため、手指が境界線位置に近づくことができず死角となっている。すなわち該ベースと境界付近のシールを指で押すことができないため、該位置のシール下の気泡を押し出すことができない。さらに、空気はベースを通過しシールと壁面との間にまで至るため、シールと壁面表面間の真空状態は徐々に失われて行き、粘着の堅牢性に影響を及ぼす。
【０００３】
【特許文献１】中華人民共和国特許第CN2459993N号明細書
【発明の開示】
【発明が解決しようとする課題】
【０００４】
本発明は主に粘着時に空気を簡単に完璧に押し出すことができ、空気がベースに浸透しシールと壁面間に進入することを防止し、これにより該位置における真空度下降を緩やかにし、粘着持続時間を延長することができる。
【０００５】
本発明はすなわちベース、粘着パーツ、支持パーツを含み、該支持パーツと該ベースは相互に連接し、
該粘着パーツは良好な空気密封性を具え平滑な壁体と密着するシールで、該粘着パーツは相互に該ベースと粘着接続し、その表面は該ベースのエッジを超え外部へと延伸し、
該ベースの側面と該粘着パーツ表面の境界位置は該ベースのエッジが該粘着パーツ外周方向へと延伸する過渡面できる。
【０００６】
該過渡面は該ベース表面と該粘着パーツ表面に連接する面で、該ベース表面から該粘着パーツ表面へと指で降りて来る過程において、指は上方から間隙なく滑り降りて来ることができ、すなわち指で該ベースエッジ及び該シールを圧迫する時、該ベースと該ベースの外のシールの境界位置には指で圧迫できない死角はなく、こうして指は該ベースエッジから該シール外周へと移動し空気を押し出して行く過程において、該シールと壁体間の空気は該ベースエッジから該シールエッジまで内から外へと連続して押し出され、該シールエッジの外の斜面或いは弧状面に排出され、
該ベース内には空気分子の浸透を防止する金属層を設置し、
該金属層は内側金属層と外側金属層を含み、２枚の金属層は相互に隔離され、或いは薄弱な連結構造を設置する。
【０００７】
該支持パーツはさらにフック、挿入孔槽、挿入孔台を含み、該フック上には外付け装置と係合する係合定位構造を設置し、該係合定位構造は該フック外側の鋭利な突出物に設置し、
該ベース或いは該ベースが具えるシール表面には空気の浸透を防止する一層の空気隔離層を噴霧可能で、
該ベース上部には他の物件と連接可能なネジ山構造を形成し、
該支持パーツはさらに摩擦力板を設置可能で、該摩擦力板は壁体表面において圧迫可能で、かつ上方へと向かう静摩擦力を生じ、重量物が垂直方向において生じる重力を相殺可能で、該摩擦力板は直接該支持パーツ上に係合し、或いは該ベースと相互に連接し、或いはネジにより該ベース内の金属層上に形成するネジ孔に螺合する。
【０００８】
該ベース内に設置する金属層は該ベース底面と平行で、
該ベース底面の中央は自由状態時には浅く陥没し、
該金属層は弾性を具えた金属片で、該内側金属層は外部へと突出する弧状面で、
該ベース中に設置する金属層の局部は該ベース外に延伸し、フック状或いは他の支持パーツ形状を直接形成可能で、
該ベース或いは該ベースが具えるシール表面に噴霧する空気の浸透を防止する一層の空気隔離層の噴霧液は金属噴霧液或いは液体ガラスできる。
【０００９】
すなわち本発明シール式壁体表面の支持パーツは該ベースエッジが該シール外周方向に向かい延伸する過渡面により、一切の気泡を残さないまでに、非常に容易に、かつ徹底的にシールと壁面間の空気を排除することができ、また該ベース内に設置する金属層は該ベースと該シールへの空気の浸透を防止し、空気が該シールと壁体間に進入しないようにし、長時間の設置後も空気が進入し脱落する恐れはなく、
さらに該金属層は内側部分と外側部分を含み、該金属層が引力を受けると、該内側金属層は外側へと移動し、該外側金属層は不動を保持するため、該シールと壁体間には空気を収容可能な空間が形成され、これにより該シールと壁体間の真空度はゆっくりと下降し、
しかも該ベース或いは該ベースが具えるシール表面に塗布する一層の金属或いはガラス空気隔離層は、空気が徐々に浸透するのをさらに効果的に防止することができ、こうして粘着時間を延長することができる。
【００１０】
本発明は該ベース上部に加工するネジ山と他の物件との相互連接、或いはベースに設置するフック、挿入孔槽、挿入孔台などと他の物件との相互対応により、その使用範囲と用途を拡大可能で、高い実用性を提供することができ、
また本発明のシール式壁体表面の支持パーツは家庭用浴室、台所、寝室、リビング内壁、冷蔵庫壁面、クローゼット壁面上に広く使用可能で、粘着が便利で堅牢かつ交換の便も良いことを特徴とするシール式壁体表面の支持パーツである。
【課題を解決するための手段】
【００１１】
請求項１の発明は、主にベース、粘着パーツ、支持パーツを含み、該支持パーツと該ベースは相互に連接し、該粘着パーツは良好な空気密封性を具え平滑な壁体と密着するシールで、該粘着パーツは相互に該ベースと粘着接続し、その表面は該ベースのエッジを超え外部へと延伸し、該ベースの側面と該粘着パーツ表面の境界位置は該ベースのエッジが該粘着パーツ外周方向へと延伸する過渡面であることを特徴とするシール式壁体表面の支持パーツとしている。
請求項２の発明は、請求項１記載のシール式壁体表面の支持パーツにおいて、前記過渡面は該ベース表面と該粘着パーツ表面に連接する斜面或いは弧状面で、上部から指で間隙なく滑り降りて来ることができ、すなわち指で該ベースエッジから該シール外周へと移動し空気を押し出して行く過程において、該シールと壁体間の空気は該ベースエッジから該シールエッジまで内から外へと連続して押し出され、該シールエッジの外に排出されることを特徴とするシール式壁体表面の支持パーツとしている。 
請求項３の発明は、請求項１記載のシール式壁体表面の支持パーツにおいて、前記ベースないには空気分子の浸透を阻止する金属層を設置することを特徴とするシール式壁体表面の支持パーツとしている。
請求項４の発明は、請求項３記載のシール式壁体表面の支持パーツにおいて、前記金属層は内側金属層と外側金属層を含み、２枚の金属層は相互に隔離され、或いは薄弱な連結構造を設置することを特徴とするシール式壁体表面の支持パーツとしている。 
請求項５の発明は、請求項４記載のシール式壁体表面の支持パーツにおいて、前記金属層は弾性を具えた金属片で、該内側金属層は外側へと突出する弧状面を呈することを特徴とするシール式壁体表面の支持パーツとしている。
請求項６の発明は、請求項１記載のシール式壁体表面の支持パーツにおいて、前記支持パーツはさらにフック、挿入孔槽、挿入孔台を含み、該フック上には外付け装置と係合する係合定位構造を設置し、該係合定位構造は該フック外側の鋭利な突出物に設置することを特徴とするシール式壁体表面の支持パーツとしている。 
請求項７の発明は、請求項１記載のシール式壁体表面の支持パーツにおいて、前記ベース或いは該ベースが具えるシール表面には空気の浸透を防止する一層の空気隔離層を噴霧することができ、該空気隔離層の噴霧液は金属噴霧液或いは液体ガラスであることを特徴とするシール式壁体表面の支持パーツとしている。
請求項８の発明は、請求項１記載のシール式壁体表面の支持パーツにおいて、前記ベース上部には他の物件との連接に用いるネジ山構造を形成することを特徴とするシール式壁体表面の支持パーツとしている。 
請求項９の発明は、請求項１記載のシール式壁体表面の支持パーツにおいて、前記支持パーツはさらに摩擦力板を設置可能で、該摩擦力板は壁体表面において圧迫可能で、かつ上方へと向かう静摩擦力を生じ、重量物が垂直方向において生じる重力を相殺可能で、該摩擦力板は直接該支持パーツ上に係合し、或いは該ベースと相互に連接し、或いはネジにより該ベース内の金属層上に形成するネジ孔に螺合することを特徴とするシール式壁体表面の支持パーツとしている。
請求項１０の発明は、請求項１記載のシール式壁体表面の支持パーツにおいて、前記ベース内に設置する金属層は該ベース底面と平行であることを特徴とするシール式壁体表面の支持パーツとしている。
請求項１１の発明は、請求項１０記載のシール式壁体表面の支持パーツにおいて、前記ベース底面の中央は自由状態時には浅く陥没することを特徴とするシール式壁体表面の支持パーツとしている。   
請求項１２の発明は、請求項３、請求項８、或いは請求項９記載のシール式壁体表面の支持パーツにおいて、前記ベース中に設置する金属層の局部は該ベース外に延伸し、フック状或いは他の支持パーツ形状を形成可能であることを特徴とするシール式壁体表面の支持パーツとしている。   
【発明の効果】
【００１２】
本発明のシール式壁体表面の支持パーツは家庭用浴室、台所、寝室、リビング内壁、冷蔵庫壁面、クローゼット壁面上に広く使用可能で、粘着が便利で堅牢かつ交換の便も良い。
【発明を実施するための最良の形態】
【００１３】
図１〜４に示すように、本実施例のシール式壁体表面の支持パーツはベース、粘着パーツ、支持パーツを含む。該ベース１はPVC材料により製造し、該粘着パーツは良好な空気密封性を具え平滑な壁体と密着するシール２で、該支持パーツはフック５である。
該シール２は該ベース１と相互に粘着接続し、その表面は該ベース１のエッジを超え外部へと延伸する。
該ベース１の側面と該シール２表面の境界位置は該ベース１のエッジが該シール２外周方向へと延伸する過渡面４である。本実施例では該過渡面４は弧状を呈し、表面はややラフで、粘着接続過程において粘着剤が溢れ出した時も見にくいため、良好な外観を保持することができる。
また該過渡面４は上部から指で間隙なく滑り降りて来ることができ、すなわち指で該ベース１と該シール２を圧迫する時、該ベース１と該ベース１外のシール２の境界位置には指が届かない死角はなくなる。よって、指は該ベース１エッジから該シール２外周へと移動し空気を押し出して行く過程において、該シール２と壁体間の空気は該ベース１エッジから該シール２エッジまで内から外へと連続して押し出され、該シール２エッジの外に排出される。こうして該シール２と壁体表面の粘着接着時に気泡のない状態を確保可能で、非常に緊密かつ堅牢に密着することができる。よってシール式壁体表面の支持パーツは壁体或いはガラス表面において長期間固定され、脱落現象が発生することはない。
【００１４】
本実施例は該ベース１上部に外ネジ山８を形成し、対応加工する内ネジ山を持つ他の物件と螺合し使用することができる。こうして用途を広げ、直接ナットを嵌合する重量物をサポートすることができる。
本実施例の支持パーツは外付け装置の必要に応じて、多種の構造とすることができ、シール式壁体表面の支持パーツの使用範囲を広げることができる。
本実施例では該支持パーツはフック５、挿入孔台３、挿入槽９を含む。該フック５上には外付け装置と相互に係合する係合構造を設置し、該係合構造は該フック外側に設置する鋭利な突出物６である。該鋭利な突出物６の下部には指が該鋭利な突出物６により傷つかないように保護する表面が平滑なガードブロック７を設置する。
該挿入孔台３上にはフック挿入孔１０を設置し、フックを外付けすることができる(図２０、２１参照)。
該挿入槽９は該ベース１の表面に開設し、挿入台を具える別の物体をその中に挿入することができる(図１８、１９参照)。
【００１５】
次に図５〜９に示すように、本発明はベース１内に真空度を緩衝する金属層を設置する。該金属層は該ベース１底面と平行で、内側金属層１１と外側金属層１２を含む。該外側金属層１１と該内側金属層１２は相互に隔離された別々の２部分で、両者間には薄弱連結構造１３を設置し、力を受けたとき両者間は相互に一定の遊び空間を具える。
さらに図６に示すように、該金属層が矢印が示す垂直の引力を受けた時、該内側金属層１１はより多く外側へと移動し、該外側金属層１２はより少なく外側へと移動する。これにより該シール２と壁体間には空気を収容する空間を形成し、その間の真空度の下降を緩やかにすることができる。
また図７に示すように、本発明の金属層は外側へと弧状に突出するが、該金属層は弾性を具えた鋼片である。
次に図８に示すように、該金属層が矢印が示す垂直の圧力を受けた時、該弧状面は該シール２と壁体間のサポート力の急速な変化を効果的に緩やかに解除し、これにより該シール２と壁体間の真空度の下降は緩やかになる。
【００１６】
壁から取り外す必要がある時には、図９の矢印が示すように、該ベース１を内側へと押す。該金属層平面において内に向かう圧力を垂直に受けると、該内側金属１１は内側へと移動し、球面鋼片の弾性作用により該金属層は反り返る。こうして該ベース１と該シール２は簡単に壁体から分離される。
図７中のベース１底面中央は自由状態では浅い陥没状である。
粘着しにくい性質を持つ壁表面に対しては、本構造は粘着時に該ベース１中央を壁に向かい押し、該ベース１底面を平坦にする。同時に周辺を壁面に粘着させる。手を放すと該ベースの回復力により、該ベース１中央と該壁面間にはいくらかの真空が形成され、該ベース１周辺が粘着する壁面のシール２はこの真空の影響を受け、比較的緊密に壁面に粘着する。
このように、本製品は力を受けない時には脱落を防止可能で、しかも力を受け反り返り壁から離れる時にも、該ベース１と壁面間により大きな真空を形成し、有力な脱落阻止となる。
【００１７】
続いて図１０、１１に示すように、本実施例の前記第一実施例の差異は、シール式壁体表面の支持パーツが摩擦力板１４を含む点である。
該摩擦力板１４は該ベース１或いは該ベース１内の金属層外に延伸するサポート棒とネジにより連接可能である。本実施例では、該摩擦力板１４は該ベース１内の金属層上の伸出ボルト１８とネジ孔１６を通して連接する。該摩擦力板１４のサポート台１５は壁面に直接接触し、シール式壁体表面の支持パーツが重量を支えている時、該摩擦力板１４は該サポート台１５により壁へと圧迫される力を受ける。こうして上方へと向かう静摩擦力を生じ、重量物が垂直方向に生じる重力を相殺することができる。
【００１８】
さらにもう一つの差異は該ベース１中に設置する外側金属層１２の局部が該ベース１外に延伸し、直接フック状或いは適当な支持パーツ形状を形成することである。
これにより延伸した部分は堅固な基礎或いはベースとなり、必要に応じてその上に孔を開け、支持される物件を堅固に連接することができる。また該内側金属層１１上にもPVC材料により直接形成される延伸フック１７を貫通し、該延伸フック１７上にはフックと掛孔１９を形成し、比較的思い物品を掛けることができ、本発明の実用性をさらに向上させ、使用範囲をさらに拡大することができる。
【００１９】
次に図１２に示すように、本発明の第二実施例では、該ベース１内に設置する金属層は内側金属層１１と外側金属層１２を含む。該金属層は該ベース１の底面に平行で、該外側金属層１２と該内側金属層１１間には薄弱連結構造１３を設置する。
図１３では、本実施例の金属層は外側へと突出する弧状面構造で、該金属層は弾性を具えた鋼片である。
図１４、１５に示す力が加わる時、その動作変化状況は第一実施例と同様であるため、ここでは詳述しない。また図１３の該ベース１底面中央が、自由状態下では浅い陥没を形成するが、その作動原理は図７に示すものと同様であるため、ここでは詳述しない。
【００２０】
さらに図１６、１７は図１に示す第一実施例に石鹸トレイ２０を外付けする構造の表示図である。石鹸トレイフレーム２１はフック５及び該フック５上の鋭利な突起物６を通して、該ベース１上において該ガードブロック７と係合し、石鹸トレイ２０をその上に置くことができ、非常に便利に使用することが可能である。
【００２１】
次に図１８、１９は図１に示す第一実施例にローション状石鹸ボトル２３を外付け構造の表示図である。環状係合フレーム２２は該フック５などにより該ベース１上に固定され、該ローション状石鹸ボトル２３は該環状係合フレーム２２のリング中に係合される。該環状係合フレーム２２上のサポートフレーム２４上にはサポート点を設置し、壁体上においてサポートする。該作用は摩擦力板に類似の作用であるため、ここでは詳述しない。
【００２２】
続いて図２０、２１は第一実施例に外付けフック２５を外付けする構造の表示図である。該外付けフック２５は該ベース１上のフック挿入孔を通して固定され、タオルなどの小物件を掛けることができ、不使用時には該外付けフック２５は取外し、収納することができる。
【００２３】
本発明は該ベース１或いは該ベース１が具えるシール２表面に空気の浸透を防止する一層の空気隔離層を噴霧することができる。該空気隔離層の噴霧液は液体ガラスで、空気の浸透をさらに強固に防止可能で、シール式壁体表面の支持パーツの信頼性をさらに高めることができる。
【図面の簡単な説明】
【００２４】
【図１】本発明第一実施例の全体構造表示図である。
【図２】本発明第一実施例の俯瞰図である。
【図３】本発明第一実施例の左側面図である。
【図４】本発明第一実施例の右側面図である。
【図５】本発明第一実施例の金属層の構造断面図である。
【図６】図５で示す金属層が矢印方向への引力を受けた時の構造変化を示す断面図である。
【図７】本発明第一実施例の金属層が外部へと突出し弧状を呈する様子の構造断面図である。
【図８】図７で示す金属層が矢印方向への引力を受けた時の構造変化を示す断面図である。
【図９】図７で示す金属層が矢印で示す圧力を受けた時の構造変化を示す断面図である。
【図１０】本発明第二実施例の全体構造俯瞰表示図である。
【図１１】本発明第二実施例の摩擦力板と金属層の構造を示す図１０のA-A位置における断面図である。
【図１２】図１１で示す金属層が矢印方向への引力を受けた時の構造変化を示す断面図である。
【図１３】本発明第二実施例の金属層が外部へと突出し弧状を呈する様子及び摩擦力板の機構断面図である。
【図１４】図１３で示す金属層が矢印方向への引力を受けた時の構造変化を示す断面図である。
【図１５】図１３で示す金属層が矢印で示す圧力を受けた時の構造変化を示す断面図である。
【図１６】図１に示す第一実施例に石鹸トレイを掛けた時の構造表示図である。
【図１７】図１に示す第一実施例に石鹸トレイを掛けた時の構造表示図である。
【図１８】図１に示す第一実施例にローション状石鹸ボトルを掛けた時の構造表示図である。
【図１９】図１に示す第一実施例にローション状石鹸ボトルを掛けた時の構造表示図である。
【図２０】図１に示す第一実施例にフックを掛けた時の構造表示図である。
【図２１】図１に示す第一実施例にフックを掛けた時の構造表示図である。
【符号の説明】
【００２５】
１  ベース
２  シール
３  挿入孔台
４  過渡面
５  フック
６  鋭利な突出物
７  ガードブロック
８  外ネジ山
９  挿入槽
１０  挿入孔
１１  内側金属層
１２  外側金属層
１３  薄弱連接構造
１４  摩擦力板
１５  サポート台
１６  ネジ孔
１７  延伸フック
１８  伸出ボルト
１９  掛孔
２０  石鹸トレイ
２１  石鹸トレイフレーム
２２  環状係合フレーム
２３  ローション状石鹸ボトル
２４  サポートフレーム
２５  外付けフック
【図１】
2007530247.tif 000003
【図２】
2007530247.tif 000004
【図３】
2007530247.tif 000005
【図４】
2007530247.tif 000006
【図５】
2007530247.tif 000007
【図６】
2007530247.tif 000008
【図７】
2007530247.tif 000009
【図８】
2007530247.tif 000010
【図９】
2007530247.tif 000011
【図１０】
2007530247.tif 000012
【図１１】
2007530247.tif 000013
【図１２】
2007530247.tif 000014
【図１３】
2007530247.tif 000015
【図１４】
2007530247.tif 000016
【図１５】
2007530247.tif 000017
【図１６】
2007530247.tif 000018
【図１７】
2007530247.tif 000019
【図１８】
2007530247.tif 000020
【図１９】
2007530247.tif 000021
【図２０】
2007530247.tif 000022
【図２１】
2007530247.tif 000023
【国際調査報告】
2007530247.tif 000024
2007530247.tif 000025
2007530247.tif 000026
2007530247.tif 000027
2007530247.tif 000028
2007530247.tif 000029
2007530247.tif 000030
2007530247.tif 000031